(57)【要約】【課題】カンファレンスの事前準備に要する時間と労力の低減とカンファレンスにおける効率の改善が可能なカンファレンス支援システム及びプレゼンテーションデータ生成方法を提供する。【解決手段】プレゼンテーション画面７０は、カンファレンス対象患者に対して行われた複数の検査項目を検査タグ８２として時系列的に表示する検査実績表７１と、これらの検査タグ８２を選択して所定検査の画像データを表示する画像表示領域７２と、前記画像データから選択した所望の画像データをプレゼンテーションデータとして登録するキー画像登録領域７３を備えている。更に、前記検査実績表７１には、カンファレンスタグ８３が開催日時に対応して設定され、プレゼンテーションデータとしてキー画像登録領域７３に登録された画像データは、前記カンファレンスタグ８３に関連づけられたカンファレンスデータ記憶部２４に保存される。【選択図】  図６
2005043951.tif 000002
【特許請求の範囲】
【請求項１】
カンファレンスに用いるプレゼンテーションデータの生成と、このプレゼンテーションデータの表示を行なうカンファレンス支援システムであって、
複数の患者に対する一覧データを表示する患者一覧表示手段と、
この患者一覧表示手段によって表示された前記一覧データの中から、カンファレンス対象患者を選択する患者選択手段と、
選択された前記カンファレンス対象患者に関するプレゼンテーション画面を生成するプレゼンテーション画面生成手段と、
前記プレゼンテーション画面にカレンダ形式で作成される検査実績表に設定された検査タグを選択することによって、前記検査タグに対応した前記カンファレンス対象患者の医用データを読み出し、前記プレゼンテーション画面の医用データ表示領域に表示する第１の医用データ表示手段と、
この第１の医用データ表示手段によって表示された前記医用データの中から所望の医用データを選択し、プレゼンテーションデータとして保存するプレゼンテーションデータ保存手段と、
このプレゼンテーションデータ保存手段によって保存された前記プレゼンテーションデータに対応づけられた第１のカンファレンスタグを前記検査実績表の所定の位置に設定する第１のカンファレンスタグ設定手段と、
前記カンファレンスタグを選択して前記プレゼンテーションデータを前記医用データ表示領域に表示する第２の医用データ表示手段を
備えたことを特徴とするカンファレンス支援システム。
【請求項２】
前記患者一覧表示手段は、前記カンファレンス対象患者の担当医が検査を行なった複数の患者について一覧表示することを特徴とする請求項１記載のカンファレンス支援システム。
【請求項３】
前記検査タグは、検査実施日に基づいて前記検査実績表の所定の位置に設定され、前記カンファレンス対象患者に対して、既に行なわれた検査において得られた医用データと対応づけられていることを特徴とする請求項１記載のカンファレンス支援システム。
【請求項４】
前記プレゼンテーション画面生成手段によって生成される前記プレゼンテーション画面は、少なくとも前記検査実績表と、前記医用データ表示領域と、前記所望の医用データをプレゼンテーションデータとして保存する際に用いられるキーデータ登録領域とからなることを特徴とする請求項１記載のカンファレンス支援システム。
【請求項５】
前記プレゼンテーション画面生成手段によって生成されるプレゼンテーション画面は、カンファレンスにおける指摘事項や診断治療計画の修正等を記録する課題入力領域を備えることを特徴とする請求項１又は請求項４に記載のカンファレンス支援システム。
【請求項６】
前記プレゼンテーション画面生成手段によって生成されるプレゼンテーション画面は、前記第１の医用データ表示手段によって前記医用データ表示領域に表示された医用データの中から重要な医用データを別途保存するためのデータ入力部を備えることを特徴とする請求項１又は請求項４に記載のカンファレンス支援システム。
【請求項７】
前記プレゼンテーション画面生成手段は、前記カンファレンス対象患者に対して既に行なわれたカンファレンスにおいて使用したプレゼンテーションデータと対応づけられた第２のカンファレンスタグを、前記カンファレンスの開催日に基づいて前記検査実績表の所定の位置に設定することを特徴とする請求項１記載のカンファレンス支援システム。
【請求項８】
前記第２のカンファレンスタグを選択して表示したプレゼンテーションデータに対して変更を行なった場合、前記プレゼンテーション画面生成手段は、前記検査実績表の所定の位置に変更を示す第２のカンファレンスタグを付加することを特徴とする請求項７記載のカンファレンス支援システム。
【請求項９】
前記第１の医用データ表示手段は、入力部の入力デバイスを用い、前記検査タグを前記医用データ表示領域にドラッグすることによって、前記検査タグに対応した画像データを前記医用データ表示領域に表示することを特徴とする請求項１記載のカンファレンス支援システム。
【請求項１０】
前記プレゼンテーションデータ保存手段は、入力部の入力デバイスを用い、前記医用データ表示領域に表示された所望の医用データを前記キーデータ登録領域にドラッグすることによって、前記所望の医用データを所定の記憶領域に保存することを特徴とする請求項４記載のカンファレンス支援システム。
【請求項１１】
前記医用データは、前記カンファレンス対象患者の画像データ、又は検体検査データ、又は生体計測データの少なくともいずれかであることを特徴とする請求項１記載のカンファレンス支援システム。
【請求項１２】
カンファレンス支援システムを用いてカンファレンスに用いるプレゼンテーションデータを生成するプレゼンテーションデータ生成方法であって、
カンファレンス対象患者の担当医が検査を行なった患者の一覧表から前記カンファレンス対象患者を選択するステップと、
選択されたカンファレンス対象患者に対して実施された検査やカンファレンスが検査タグ及びカンファレンスタブとして表示された検査実績表を含むプレゼンテーション画面を表示するステップと、
前記検査タグの中から所望の検査タグを選択し、この所望の検査タグに対応づけられた医用データを前記プレゼンテーション画面の医用データ表示領域に表示するステップと、
表示された前記医用データの中から所望の医用データを選択し、プレゼンテーションデータとして保存するステップと、
保存された前記プレゼンテーションデータに対応づけられたカンファレンスタグを前記検査実績表の所定の位置に設定するステップを
有することを特徴とするプレゼンテーションデータ生成方法。
【発明の詳細な説明】
【０００１】
【発明の属する技術分野】
本発明は、電子化された医用データベースを一元管理することによって、効率のよいカンファレンス及びその準備を可能としたカンファレンス支援システム及びプレゼンテーションデータ生成方法に関する。
【０００２】
【従来の技術】
患者に対する診断や治療計画の策定は、予め収集された医療情報に基づいて複数の医師による、所謂カンファレンスによって行なわれている。そして、カンファレンス対象患者の担当医師は、カンファレンスに先立ち、その患者に対して作成された患者カルテ、診断レポート、医用画像データが撮影されたフィルム、生理検査データ、更には検体検査データなどの医療情報を各専門部門から収集し、収集したこれらの医療情報に基づいてカンファレンス用のプレゼンテーション資料を作成しなくてはならなかった。このため、プレゼンテーション資料の事前作成には多大の時間と労力を必要とした。
【０００３】
このとき収集される医療情報の中で、診断確定時、入院時、術前、術後などの各時点の検査において得られた医療情報には、通常、簡単なマーキングがなされているが、このマーキングを探したり、これらのデータを時系列に整理する場合、目的に合わせた整理がなされておらず、また必要とされる医療情報が散逸している場合も珍しくなかった。
【０００４】
一方、カンファレンスにおいては、過去の検査内容が一覧表の状態で整理されていないため検査の全貌や経緯を把握することが困難であった。又、担当医師が事前に準備しなかった医療情報の提示をカンファレンスに参加した他の医師（以下、カンファレンス参加者と呼ぶ。）より要求された場合、この要求に対して即座に応えることができなかった。更に、プレゼンテーション内容に対してカンファレンス参加者より得た課題、更には診断治療計画に関する修正事項などを即座に記録に残すことも困難であった。
【０００５】
このような問題点に対して、近年ではネットワークを介して院内の画像サーバや病院情報システムと接続された医療用画像ファイリングシステムの検索端末を用いたカンファレンスが提案されている（例えば、特許文献１参照。）。
【０００６】
この特許文献１に記載された方法によれば、カンファレンス対象患者の担当医師（以下、操作者と呼ぶ。）は、医療用画像ファイリングシステムの検索端末に設けられたモニタに表示される検査一覧表において、カンファレンスの対象となる患者及び検査項目（検査オーダー）を選択する。次いで検索端末は、この選択信号を、ネットワークを介して画像データサーバや病院情報システムなどに供給し、画像データサーバや病院情報システムに予め保存されている多くの画像データや医療情報の中から、選択された検査オーダーに対応する画像データや医療情報を読み出す。そして、読み出したこれらのデータを、前記検索端末のモニタにおいて所定のフォーマットで表示する。
【０００７】
このような方法によれば、カンファレンス対象患者に関する画像データや医療情報などの各種データを適切なタイミングで取り出すことが可能となるため、多くのデータの中から所望のデータを検索する際に要する時間が大幅に短縮され、従って、カンファレンスの事前準備やカンファレンスを効率よく進めることが可能となる。
【０００８】
【特許文献１】
特開２００２−７３６１５号公報（第１０−１１頁、第１７−２１図）
【０００９】
【発明が解決しようとする課題】
しかしながら、上述の特許文献１の方法によれば、カンファレンス対象患者の各検査オーダーに対する画像データを容易に表示することができるが、夫々の画像データの時系列的な関連を把握することは困難であった。即ち、同一患者に対して収集された画像データにおける時間的変化の観察に対して、必ずしも最適な表示形態とはなっていなかった。更に、カンファレンス対象患者に対して行われた過去のカンファレンスにおいて決定された診断や治療方針と、そのとき参照された画像データや医療情報などの各種データを前記検索端末において容易に読み出すことは困難であった。
【００１０】
本発明は、このような問題点に鑑みてなされたものであり、その目的は、カンファレンスにおける質の向上とカンファレンスの準備に要する時間と労力の低減を目的としたカンファレンス支援システム及びプレゼンテーションデータ生成方法を提供することにある。
【００１１】
【課題を解決するための手段】
前記課題を解決するために、請求項１に係る本発明のカンファレンス支援システムは、カンファレンスに用いるプレゼンテーションデータの生成と、このプレゼンテーションデータの表示を行なうカンファレンス支援システムであって、複数の患者に対する一覧データを表示する患者一覧表示手段と、この患者一覧表示手段によって表示された前記一覧データの中から、カンファレンス対象患者を選択する患者選択手段と、選択された前記カンファレンス対象患者に関するプレゼンテーション画面を生成するプレゼンテーション画面生成手段と、前記プレゼンテーション画面にカレンダ形式で作成される検査実績表に設定された検査タグを選択することによって、前記検査タグに対応した前記カンファレンス対象患者の医用データを読み出し、前記プレゼンテーション画面の医用データ表示領域に表示する第１の医用データ表示手段と、この第１の医用データ表示手段によって表示された前記医用データの中から所望の医用データを選択し、プレゼンテーションデータとして保存するプレゼンテーションデータ保存手段と、このプレゼンテーションデータ保存手段によって保存された前記プレゼンテーションデータに対応づけられた第１のカンファレンスタグを前記検査実績表の所定の位置に設定する第１のカンファレンスタグ設定手段と、  前記カンファレンスタグを選択して前記プレゼンテーションデータを前記医用データ表示領域に表示する第２の医用データ表示手段を備えたことを特徴としている。
【００１２】
また、請求項１２に係る本発明のプレゼンテーションデータ生成方法は、カンファレンス支援システムを用いてカンファレンスに用いるプレゼンテーションデータを生成するプレゼンテーションデータ生成方法であって、カンファレンス対象患者の担当医が検査を行なった患者の一覧表から前記カンファレンス対象患者を選択するステップと、選択されたカンファレンス対象患者に対して実施された検査やカンファレンスが検査タグ及びカンファレンスタブとして表示された検査実績表を含むプレゼンテーション画面を表示するステップと、前記検査タグの中から所望の検査タグを選択し、この所望の検査タグに対応づけられた医用データを前記プレゼンテーション画面の医用データ表示領域に表示するステップと、表示された前記医用データの中から所望の医用データを選択し、プレゼンテーションデータとして保存するステップと、保存された前記プレゼンテーションデータに対応づけられたカンファレンスタグを前記検査実績表の所定の位置に設定するステップを有することを特徴としている。
【００１３】
従って、本発明によれば、プレゼンテーションデータの事前作成に要する時間と労力が低減でき、更に、良質なカンファレンスを効率よく進めることができる。
【００１４】
【発明の実施の形態】
以下に、本発明の実施の形態について添付図面を参照して説明する。本発明の実施の形態の特徴は、カンファレンス支援システムの表示部において、カンファレンス対象患者の検査実績表をカレンダ形式で形成し、更に、この検査実績表のカンファレンス開催日に対応した位置に、カンファレンスに使用するプレゼンテーションデータの表示を指示するカンファレンスタグを設定することにある。
【００１５】
（システムの構成）
まず、本発明の実施の形態におけるカンファレンス支援システムの基本構成につき図１の機能ブロック図を参照して説明する。図１のカンファレンス支援システム１０は、ネットワーク５０を介して接続された院内の画像データサーバ４１や検査データサーバ４２、更には病院情報システム４３から供給された各種医用データを保存するデータ記憶部２０と、カレンダ形式の検査実績表や画像表示領域などから構成されるプレゼンテーション画面を生成するプレゼンテーション画面生成部３０と、ネットワークインターフェース２５を備えている。
【００１６】
更に、カンファレンス支援システム１０は、前記検査実績表や、この検査実績表において選択された検査項目の医用データ（特に画像データ）などを表示する複数のビューア３２−１乃至３２−Ｍと、このビューア３２−１乃至３２−Ｍと同様の機能を有し、プレゼンテーションデータの事前準備においても使用される表示部３４と、操作者によって種々の指示信号などが入力される入力部３５を備えている。
【００１７】
データ記憶部２０は、画像データ記憶部２１、レポートデータ記憶部２２、補助記憶部２３、及びカンファレンスデータ記憶部２４を備えている。
【００１８】
そして、画像データ記憶部２１には、画像データサーバ４１に保存されている複数患者の画像データの中から、入力部３５の選択信号に基づいて選択されたカンファレンス対象患者の画像データが保存される。
【００１９】
又、レポートデータ記憶部２２には、病院情報システム４３から読み出されたカンファレンス対象患者の患者情報や電子カルテデータ、更にはレポートデータが保存される。更に、補助記憶部２３には、検査データサーバ４２から読み出された前記カンファレンス対象患者に関する心電図や脳波などの生体計測データ、血液及び尿などの検体検査データや、あるいは投薬データが保存される。
【００２０】
一方、カンファレンスデータ記憶部２４には、過去のカンファレンスにおいて使用した各種医用データや、カンファレンスのために操作者が事前準備したプレゼンテーションデータが保存される。
【００２１】
次に、プレゼンテーション画面生成部３０は、ＣＰＵと記憶回路を備え、この記憶回路には、検査実績表を所定のフォーマットで表示するためのプログラムが保存されている。この検査実績表の所定位置に設定された検査タグと、前記データ記憶部２０の画像データ記憶部２１や補助記憶部２３に保存された画像データや検査データは対応付けられている。そして、この検査タグを選択することによって、選択された検査タグに対応した画像データや検査データが画像データ記憶部２１及び補助記憶部２３から読み出され、表示部３４あるいはビューア３２−１乃至３２−Ｍに表示される。
【００２２】
又、プレゼンテーション画面生成部３０のＣＰＵは、入力部３５からの指示信号に従って前記検査実績表の所定位置にカンファレンスタグを設定する。このとき、カンファレンスタグとデータ記憶部２０のカンファレンスデータ記憶部２４に保存されているプレゼンテーションデータは対応付けられる。即ち、操作者は、表示部３４に表示された検査実績表におけるカンファレンスタグを選択することによって、カンファレンスデータ記憶部２４に保存されているプレゼンテーション画面や画像データなどを所定のフォーマットで表示させることができる。
【００２３】
次に、表示部３４は、図示しないＣＰＵと、記憶回路と、モニタを備え、記憶回路には、ネットワーク５０を介して病院情報システム４３から供給される患者一覧表やプレゼンテーション画面生成部３０において生成された検査実績表のデータが保存される。更に、前記検査実績表に設定された検査タグやカンファレンスタグなどを選択することによってデータ記憶部２０から読み出された所望の画像データなどが保存される。そして、ＣＰＵは保存されたこれらのデータをモニタに表示する。
【００２４】
又、入力部３５は、操作パネル上にキーボードやマウス等の入力デバイスを備え、操作者は、前記表示部３４のモニタに表示された患者一覧表におけるカンファレンス対象患者の選択や検査実績表における検査タグやカンファレンスタグの選択を前記入力デバイスを用いて行なう。又、カンファレンスにおいて指摘された課題や治療方針の修正等に関する入力を行なう。
【００２５】
一方、複数のビューア３２−１乃至３２−Ｍは、図示しない記憶回路と、ＣＰＵと、モニタを備えている。そして、記憶回路にはプレゼンテーション画面生成部３０において作成された検査実績表などの一覧表データや、データ記憶部２０のカンファレンスデータ記憶部２４に保存されたプレゼンテーションデータの中から選択された所望の医用データが保存され、保存されたこれらのデータはＣＰＵによってモニタに表示される。カンファレンス参加者は、これらのビューア３２−１乃至３２−Ｍに表示される画像データに基づいてカンファレンス対象患者の診断・治療計画の設定や見直しなどを行なう。
【００２６】
そして、制御部３１は、図示しないＣＰＵと記憶回路を備え、操作者が入力部３５から入力する指示信号や選択信号に基づいてシステム全体を統括して制御する。
【００２７】
（プレゼンテーションデータの作成手順）
次に、本実施の形態のカンファレンス支援システム１０を用いたプレゼンテーションデータの作成及び表示の手順について、図１乃至図１１を参照して説明する。但し、図２はプレゼンテーションデータの作成手順を説明するためのフローチャートである。
【００２８】
以下に述べるプレゼンテーションデータの作成及び表示の手順は、カンファレンスの開催に先だって、カンファレンス支援システム１０を使用してプレゼンテーションデータを作成する第１のステップと、カンファレンスにおいて、作成したプレゼンテーションデータを表示してプレゼンテーションを行ない、更に、このカンファレンスにおいて指摘された課題の記録や、診断・治療計画等の修正を前記プレゼンテーションデータに対して行なう第２のステップに区分される。尚、以下の説明では、カンファレンスにおいて用いられる医用データとして画像データの場合について述べるが、生体計測データや検体検査データであってもよい。
【００２９】
先ず、上述の第１のステップにおいて、カンファレンス支援システム１０を用いて行なうプレゼンテーションデータの作成手順について述べる。
【００３０】
操作者によって、カンファレンス支援システム１０の電源が投入されると、カンファレンス支援システム１０の制御部３１は、上述の第１のステップあるいは第２のステップの何れかのモードを選択するためのモード選択タグを表示部３４のモニタに表示する。図３は、このとき表示部３４のモニタに表示されるモード選択タグ５０の１例を示したものであり、プレゼンテーションデータ作成時に選択される「カンファレンスデータ事前登録」タグ５１と、カンファレンスのプレゼンテーションにおいて選択される「カンファレンス発表」タグ５２が並べて配置されている。
【００３１】
次いで、操作者は、モニタに表示された２つのタグの中から「カンファレンスデータ事前登録」タグ５１を、例えば入力部３５に備えられたマウスを用いて選択する（図２のステップＳ１）。
【００３２】
この選択信号を受信した制御部３１は、患者一覧データの要求信号をネットワークインターフェース２５及びネットワーク５０を介して病院情報システム４３に供給し、病院情報システム４３に保存されている患者一覧データの中から、操作者が担当した患者に関する患者一覧データを読み出す。そして、読み出した患者一覧データをネットワーク５０及びネットワークインターフェース２５を介して受信し、制御部３１の記憶回路に保存すると共に表示部３４のモニタに患者一覧表として表示する。又、制御部３１の記憶回路に定期的に保存された当該患者に関するデータの中から上述の患者一覧データを読み出して表示することも可能である。尚、以下の説明において、ネットワーク５０を介して各種データの送受信が行なわれる際のネットワークインターフェース２５の説明は省略する。
【００３３】
図４は、表示部３４のモニタに表示される患者一覧表６０の具体例を示したものであり、操作者（カンファレンス対象患者の担当医Ａ）が担当した複数の患者に関する患者ＩＤ、患者名、性別、年齢、入院科、病室、入院月日などの患者情報が一覧表として表示される。
【００３４】
操作者は、この患者一覧表に示された患者名と患者情報に基づいて、カンファレンス対象患者（例えば、患者ＩＤが「０００１」の患者）を入力部３５の入力デバイスを用いて選択する（図２のステップＳ２）。この選択信号を受信した制御部３１は、ネットワーク５０を介して選択した患者に関する識別信号（例えば「０００１」）を画像データサーバ４１と病院情報システム４３に供給する。
【００３５】
患者識別信号「０００１」を受信した画像データサーバ４１は、当該患者に対して収集された複数の画像データをネットワーク５０を介してカンファレンス支援システム１０に供給し、データ記憶部２０の画像データ記憶部２１に保存する。
【００３６】
同様にして、病院情報システム４３は、患者情報データやレポートデータ、更には電子カルテデータなどをデータ記憶部２０のレポートデータ記憶部２２に保存する。尚、これらのデータは、上記病院情報システム４３を介さず、データ記憶部２０のレポートデータ記憶部に直接保存することも可能である。
【００３７】
一方、制御部３１から患者識別信号「０００１」を受信したプレゼンテーション画面生成部３０は、この患者識別信号の患者に関する検査実績データを記憶回路から読み出し、所定の表示フォーマットに従ってプレゼンテーション画面データを生成して表示部３４のモニタに表示する（図２のステップＳ３）。
【００３８】
図５は、患者識別信号「０００１」がプレゼンテーション画面生成部３０に供給された時点で、表示部３４に表示されるプレゼンテーション画面７０の具体例を示したものであり、プレゼンテーション画面７０の右下部にはカレンダ形式で作成された検査実績表７１が、又、右上部には、この検査実績表７１において選択された画像が表示される画像表示領域７２Ａ及び７２Ｂが設けられている。
【００３９】
又、プレゼンテーション画面７０の左側には、上段より患者情報表示領域７４、課題入力領域７５、学会用データ入力部７６、研究用データ入力部７７が夫々設けられる。尚、患者情報表示領域７４には、既に患者一覧表６０において選択した患者ＩＤ「０００１」の患者に関する患者情報、即ち、患者名、性別、年齢、入院月日などが自動的に表示される。
【００４０】
一方、カレンダ形式で作成された検査実績表７１は、横軸には年月日、縦軸には検査項目が割り当てられ、例えば、１月１２日実施のＣＲ（ｃｏｍｐｕｔｅｄ  ｒａｄｉｏｇｒａｐｈｙ）装置による全身検査、１月２０日、１月３０日及び２月３日実施のＣＴ装置による胸部検査、更には、２月１５日実施のＭＲＩ装置による心臓検査を示す検査タグ８２ａ乃至８２ｅが検査年月日順に表示されている。そして、検査タグ８２ａ乃至８２ｅと、これらの検査において得られた画像データや患者情報データ等が保存されているデータ記憶部２０の画像データ記憶部２１及びレポートデータ記憶部２２は対応づけられている。
【００４１】
又、この図には示されていないが、心電波形などの生体計測や血液などの検体検査に関する検査項目欄及び投薬項目欄も設けられ、検査項目が多いために全ての検査項目がプレゼンテーション画面７０の検査実績表７１において表示できない場合には、検査実績表７１の右端部に設けられた垂直スクロールバー７８を用いて所望の検査項目欄の表示を行なう。同様にして、年月日方向においても検査実績表７１の下端部に設けられた水平スクロールバー７９を用いて、所望の期間における検査実績表７１の表示を行なう。
【００４２】
更に、検査実績表７１には、患者ＩＤ「０００１」の患者に対して過去に行われたカンファレンスを示すカンファレンスタグが、その開催日時に対応した位置に設定されている。例えば、図５に示すように、１月２５日開催の入院時カンファレンス、２月１日開催の診断名決定カンファレンス、２月１０日開催の治療方針決定カンファレンスを示すカンファレンスタグ８３ａ乃至８３ｃが時間軸方向の所定の位置に設けられ、更に、このプレゼンテーション画面７０を表示した時点を示す当日ライン８４が前記検査実績表７１の所定の位置に設定される。尚、カンファレンスタグ８３ａ乃至８３ｃとカンファレンスに使用される画像データ等が保存されているカンファレンスデータ記憶部２４の各画像データ記憶領域は対応づけられている。
【００４３】
上述のプレゼンテーション画面７０が表示部３４のモニタに表示されたならば、操作者は、新たなカンファレンス（ここでは治療効果判定カンファレンスとする）のためのプレゼンテーションデータを準備する。即ち、操作者は、当該患者の検査において収集された画像データの中から、治療効果判定カンファレンスのプレゼンテーションに使用する画像データを選択し、選択した画像データをカンファレンスデータ記憶部２４の所定領域に保存する。
【００４４】
例えば、２月３日の胸部ＣＴ検査の画像データと２月１５日の心臓ＭＲＩ検査の画像データを用いてプレゼンテーションデータの作成を行なう。この場合、夫々の検査に対応した検査タグ８２ｄ及び８２ｅを入力部３５の入力デバイスを用いて画像表示領域７２Ａ及び７２Ｂにドラッグする。一方、制御部３１は、前記ドラッグ信号に従って、これらの検査によって得られた一連の画像データをデータ記憶部２０の画像データ記憶部２１から読み出し、カンファレンスデータ記憶部２４の所定の記憶領域に保存する。そして、保存した胸部ＣＴ検査による複数の画像データの中から先頭アドレスの画像データを読み出して画像表示領域７２Ａに表示し、同様にして、ＭＲＩ検査による複数の画像データの中から先頭アドレスの画像データを画像表示領域７２Ｂに表示する（図２のステップＳ４）。
【００４５】
図６は、プレゼンテーション画面７０の画像表示領域７２Ａ及び７２Ｂにおける画像データの表示方法と、表示された画像データに対して行なうプレゼンテーションデータの選択方法を説明するための図であり、ＣＴ画像データは、例えば、１４枚の画像データにおける最初の画像データが、又、ＭＲＩ画像データは、１０枚の画像データにおける最初の画像データが画像表示領域７２Ａ及び７２Ｂに表示される。
【００４６】
一方、操作者は、画像表示領域７２Ａ及び７２Ｂの上部に設けられた画像アドレス更新タグ８１Ａ及び８１Ｂを用いて画像表示領域７２Ａ及び７２Ｂに表示されているＣＴ画像データ及びＭＲＩ画像データを順次更新しながら所望の画像データを検索する。そして、所望の画像データが表示された場合には、入力部３５の入力デバイスを用い、画像表示領域７２Ａ及び７２Ｂに表示された所望の画像データをキー画像登録領域７３にドラッグすることによってプレゼンテーション用画像データの選択を行なう。即ち、制御部３１は、入力部３５から供給された画像データ選択信号に基づいて選択された画像データを、キー画像登録領域７３に対応して設けられたカンファレンスデータ記憶部２４の所定の記憶領域に保存する。（図２のステップＳ５）。
【００４７】
このような手順を１４枚のＣＴ画像データ、及び１０枚のＭＲＩ画像データについて繰り返し行ない、選択された画像データは、カンファレンスデータ記憶部２４に保存されると共に、キー画像登録領域７３において一覧画像（サムネール画像）として並べて表示される。
【００４８】
更に、他の検査日において収集されたＣＲ画像データやＣＴ画像データに対しても検索を行なう必要がある場合には、上述と同様の方法によって夫々の検査タグ８２ａ乃至８２ｃを所望の画像表示領域７２Ａ、又は７２Ｂにドラッグすることによって画像データの選択と表示を行なう。
【００４９】
画像データのキー画像登録領域７３への登録が終了したならば、選択された画像データ（ＣＴ画像１、ＣＴ画像２、ＭＲＩ画像１、ＭＲＩ画像２、・・・）をプレゼンテーションのストーリに従がってプレゼンテーション用画像表示領域に再配置する。
【００５０】
即ち、操作者は、入力部３５より指示信号を入力して図６の画像表示領域７２及び検査実績表７１を、図７に示す「治療効果判定」カンファレンス用のプレゼンテーション用画像表示領域８５に切り換える。そして、操作者は、例えば入力部３５の入力デバイスを用い、図７のキー画像登録欄７３に登録されたサムネール画像の中からＣＴ画像１をプレゼンテーション用画像表示領域８５の「Ｐａｇｅ１」における左上領域にドラッグする。
【００５１】
入力部３５からドラッグ指示信号を受けた制御部３１は、画像データ記憶部２１あるいはカンファレンスデータ記憶部２４に保存されているＣＴ画像１のオリジナル画像データを読み出し、プレゼンテーション用画像表示領域８５の左上領域に対応したカンファレンスデータ記憶部２４の図示しないプレゼンテーション画像データ記憶領域に保存する。
【００５２】
同様にして、ＣＴ画像２、ＭＲＩ画像１、ＭＲＩ画像３についてもプレゼンテーション画像データ記憶領域に保存される。尚、プレゼンテーションに用いる画像数が、１つのプレゼンテーション用画像表示領域８５に納まらない場合は、カンファレンスデータ記憶部２４の「Ｐａｇｅ２」、「Ｐａｇｅ３」に対応した夫々の記憶領域に保存される。
【００５３】
一方、他のカンファレンス（即ち、「入院」、「診断名決定」、「治療方針決定」）において使用された画像データも同様な形式によりカンファレンスデータ記憶部２４のプレゼンテーション画像データ記憶領域に保存されている。従がって、図７のプレゼンテーション用画像表示領域８５の上部に設けられたカンファレンス名を選択することによって過去のカンファレンスで使用された画像データを観察することが容易に可能となる。
【００５４】
このような手順によって、プレゼンテーション用画像データの収集が完了したならば、操作者は、画像データの収集完了を示す指示信号を入力部３５の入力デバイスを用いて入力する。そして、この指示信号を受信した制御部３１は、プレゼンテーション用画像データの保存領域、即ち、カンファレンスデータ記憶部２４に対応したカンファレンスタグ８３ｄの作成と、プレゼンテーション用画像データのカンファレンスデータ記憶部２４への保存をするために、図８に示す入力欄８０を表示部３４に表示する。
【００５５】
表示された入力欄８０に対して、操作者は、カンファレンス名「治療効果判定」と、このカンファレンスが開催される日時や場所を入力する。更に、保存タグ「ＯＫ」を選択することによって、表示部３４に表示されているプレゼンテーション画面７０における検査実績表７１の所定位置に「治療効果判定」のカンファレンスタグ８３ｄが新たに設定される（図６参照）。そして、カンファレンスタグ８３ｄとカンファレンスデータ記憶部２４とが対応付けられる（図２のステップＳ６）。
【００５６】
一方、図６において、プレゼンテーション用画像データの検索中に、学会や研究会における研究発表に好適と思われる画像データや、更に詳細な検討が必要な画像データが検索された場合、操作者は、画像表示領域７２Ａあるいは７２Ｂに表示されたこれらの画像データをプレゼンテーション画面７０の左端部に設けられた学会用データ入力部７６、及び研究用データ入力部７７にドラッグする。このドラッグによって選択された画像データは、カンファレンスデータ記憶部２４の所定記憶領域に保存される。
【００５７】
更に、ここで作成された検査実績表７１や患者情報なども前記画像データに対応して前記カンファレンスデータ記憶部２４の所定記憶領域に保存される。
【００５８】
このような手順によって所望の画像データの選択と保存を行ったならば、カンファレンス支援システム１０を用いたプレゼンテーションデータの作成作業を終了する。
【００５９】
（カンファレンスにおけるプレゼンテーション手順）
次に、上述の第２のステップにおける、カンファレンス支援システム１０を用いたプレゼンテーションの手順について述べる。
【００６０】
カンファレンスにおいて、操作者は、入力部３５の入力デバイスと表示部３４のモニタを用い、事前に準備したプレゼンテーションデータに基づいたプレゼンテーションを行なう。一方、カンファレンス参加者は、カンファレンス支援システム１０に設けられたビューア３２−１乃至３２−Ｍを用いて操作者のプレゼンテーションを受ける。
【００６１】
先ず、カンファレンス支援システム１０の電源が投入されたならば、表示部３４のモニタには、既に図３において示したモード選択タグ５０が表示され、操作者は並べて表示された「カンファレンスデータ事前登録」タグ５１と「プレゼンテーション発表」タグ５２の中から後者のタグを選択する。
【００６２】
この選択信号を入力部３５から受けた制御部３１は、データ記憶部２０のカンファレンスデータ記憶部２４に保存されている検査実績データと患者情報データを読み出し、プレゼンテーション画面７０における検査実績表７１及び患者情報表示領域７４に表示する。このとき表示される検査実績表７１には、操作者の事前準備において設定されて「治療効果判定」のカンファレンスタグ８３ｄが付加されている。
【００６３】
次いで、操作者は、検査実績表７１における「治療効果判定」のカンファレンスタグ８３ｄを入力部３５の入力デバイスを用いて選択する。この選択信号を受信した制御部３１は、カンファレンスデータ記憶部２４より、予め準備したプレゼンテーション用画像データを読み出して表示部３４のモニタやビューア３２−１乃至３２−Ｍに表示する。この場合、前記画像データは、準備段階で設定された図９に示したプレゼンテーション画面７０の表示形式に基づいてプレゼンテーション用画像表示領域に表示される。
【００６４】
上述の手順によって表示された画像データに基づいて、操作者は、カンファレンス対象患者の治療効果についての説明をカンファレンス参加者に対して行なう。この場合、表示部３４には、図７に示したプレゼンテーション画面７０のキー画像登録領域７３の代りにカンファレンス情報入力領域８７が新たに設定される。そして、カンファレンス中にカンファレンス参加者から得られたコメントや課題は、操作者によってカンファレンス情報入力領域８７や課題入力領域７５に即時入力される。又、このカンファレンスにおいて、操作者から報告される内容がカンファレンス参加者によって承認される場合は、図示しない承認欄において承認入力されてもよいが、カンファレンス結果を保存することによって承認されたものと見なしてもよい。
【００６５】
（新規画像データの追加表示）
一方、カンファレンス中に、事前準備されていない画像データの提示が求められた場合には、操作者は、図１０に示した検査実績表７１を表示し、求められた画像データに対応した検査タグ８２ａ乃至８２ｅ、あるいはカンファレンスタグ８３ａ乃至８３ｅを選択することによって、画像データ記憶部２１、あるいはカンファレンスデータ記憶部２４に保存されている所望のオリジナル画像データを表示部３４に容易に表示することが可能となる。
【００６６】
又、プレゼンテーション画面７０の検査実績表７１に表示されている過去のカンファレンス、即ち、「入院時」のカンファレンスや「診断名決定」のカンファレンス、更には「治療方針決定」のカンファレンスにおいて用いられた画像データは、一括してデータ記憶部２０のカンファレンスデータ記憶部２４に保存されている。従って、過去のカンファレンスにおいて用いられた画像データの表示が必要な場合でも、対応するカンファレンスタグ８３ａ乃至８３ｃを選択することによって、所望の画像データを即座にプレゼンテーション画面７０の画像表示領域７２に表示することが可能となる。
【００６７】
尚、上述のように、過去のカンファレンス（例えば、「治療方針決定」カンファレンス）における履歴、即ち、当該カンファレンスにて指示された課題や決定事項を参照して議論した結果、前記履歴の変更が必要になった場合には、操作者は図９のプレゼンテーション画面７０における当該カンファレンスのプレゼンテーション用画像表示領域８５、あるいは図６の当該カンファレンスタグ８３を選択して、画像表示領域７２を用いて所望の画像データを表示する。そして、課題入力領域７５、あるいはカンファレンス情報入力領域に表示された内容の更新を行った後、更新されたプレゼンテーション画面７０の保存指示信号を入力部３５より入力する。
【００６８】
この指示信号を受信した制御部３１は、履歴更新を示すカンファレンスタグの作成を行なうために、既に図８に示した入力欄８０を表示部３４に表示する。
【００６９】
操作者は、表示された入力欄において、カンファレンス名「治療方針決定（変更）」を入力することによって、プレゼンテーション画面７０の検査実績表７１には、図１０に示すように、既に設定されている「治療方針決定」のカンファレンスタグ８３ｃに隣接して、「治療方針決定（変更）」のカンファレンスタグ８３ｅが新たに設定される。
【００７０】
尚、前記入力欄８０において前記カンファレンス名のみならず、履歴更新日時（治療効果判定カンファレンス開催日）を入力することによって「治療方針決定（変更）」のカンファレンスタグ８３ｅを「治療効果判定」のカンファレンスタグ８３ｄに隣接して設定することも可能である。
【００７１】
以上述べた本実施の形態のカンファレンス支援システム１０によれば、カンファレンスに用いる画像データは、ネットワーク５０等を介して電子的に一括管理されているため、必要なデータを欠落無く、しかも短時間で収集することが可能となる。
【００７２】
また、プレゼンテーション画面７０を構成するカレンダ形式の検査実績表７１においては、カンファレンス対象患者に対して行われた検査やカンファレンスの履歴とともに、新規のカンファレンスが時系列的に一覧表示されているため、診断治療の経緯を容易に把握することができ、更に、この検査実績表７１に設定されている検査タグ８２、あるいはカンファレンスタグ８３を任意に選択することによって、選択された検査あるいはカンファレンスに対応した画像データを瞬時に読み出し、表示することが可能となる。
【００７３】
更に、過去の検査において収集された画像データに基づいてカンファレンスのプレゼンテーションデータを作成する際に、選択されたプレゼンテーション用画像データと検査実績表７１に新規作成されたカンファレンスタグ８３とを対応づけることにより、操作者は、カンファレンスにおいて所望のデータを容易に提示することができる。
【００７４】
また、本実施の形態によれば、カンファレンス中に受けた課題事項や決定事項を同じプレゼンテーション画面７０に即座に記録することができ、又、過去のカンファレンスにおける決定事項に変更の必要が発生した場合にも、その履歴管理を容易に行なうことができる。
【００７５】
一方、操作者が事前準備した画像データ以外の画像データがカンファレンス中に突如カンファレンス参加者より要求された場合においても、事前準備と同様な手順によって所望の画像データを短時間に検索することが可能である。
【００７６】
従って、上述のような機能を有する本実施の形態のカンファレンス支援システム１０を医用カンファレンスに適用することによって、操作者によって行なわれるプレゼンテーションデータの事前作成に要する時間と労力が低減し、又、カンファレンスを効率よく進めることができる。しかも、必要なデータの欠落を防止することが出きるため、良質なカンファレンスを行なうことが可能となる。
【００７７】
以上、本発明の実施の形態について述べたが、本発明は上述した実施の形態に限定されるものではなく、種々変形して実施することが可能である。例えば、上述の実施の形態においては、カンファレンス対象患者の画像データについて述べたが、画像データに限定されるものではなく、心電波形や脳波などの生体計測データ、あるいは血液や尿に対する検体検査データ及び投薬データであってもよい。
【００７８】
又、本実施の形態におけるカンファレンス支援システム１０のデータ記憶部２０には、ネットワーク５０等を介して供給される画像データ等が保存される画像データ記憶部２１やレポートデータ記憶部２２及び補助記憶部２３が設けられているが、図１１に示すように、ネットワーク５０におけるデータ転送速度が十分であれば、画像データサーバ４１、検査データサーバ４２及び病院情報システム４３から所望のデータを直接読み出し、プレゼンテーション画面７０に表示してもよい。
【００７９】
同様にして、データ記憶部２０におけるカンファレンスデータ記憶部２４は、ネットワーク５０等を介して接続される記憶装置に置き換えることが可能である。
【００８０】
一方、図５及び図６に示した本実施の形態のプレゼンテーション画面７０では、２つの画像表示領域７２Ａ及び７２Ｂを設けたが、この場合の画像表示領域７２の数は特に限定されるものではない。但し、異なる装置による画像データの比較や収集時期の異なる画像データの比較を行なうためには、複数の画像表示領域７２を備えることが好適である。
【００８１】
又、本実施の形態のカンファレンス支援システム１０では、カンファレンス参加者用の複数のビューアが設けられているが、汎用のパーソナルコンピュータを使用してもよい。更に、操作者が用いる入力部３５及び表示部３４についても、同様のパーソナルコンピュータに置き換えることが可能である。
【００８２】
更に、本実施の形態の表示部３４のモニタは１台の場合について述べたが、複数台のモニタを備え、プレゼンテーション用のオリジナル画像と他の表示内容を独立させて表示してもよい。
【００８３】
又、入力部３５は、マイクロフォンなどの音声入力部とスピーカなどの音声出力部を備えることが望ましい。この場合、カンファレンスにおいて示されたコメントや課題などは、音声入力部によって電気信号に変換され、カンファレンス情報入力領域に対応した記憶回路に記録される。
【００８４】
【発明の効果】
以上述べたように、本発明によれば、プレゼンテーションデータの事前作成に要する時間と労力が低減でき、更に、良質なカンファレンスを効率よく進めることができるカンファレンス支援システム及びプレゼンテーションデータ生成方法を提供することができる。
【図面の簡単な説明】
【図１】本発明の実施の形態におけるカンファレンス支援システムの機能ブロック図。
【図２】同実施の形態におけるプレゼンテーションデータ作成手順を示すフローチャート。
【図３】同実施の形態においてカンファレンス支援システムの使用目的を選択するモード選択タグを示す図。
【図４】同実施の形態の表示部に表示される患者一覧表の具体例を示す図。
【図５】同実施の形態の表示部に表示されるプレゼンテーション画面の具体例を示す図。
【図６】同実施の形態のプレゼンテーション画面において行われる画像データの選択方法を説明するための図。
【図７】プレゼンテーション用の画像表示方法を示す図。
【図８】同実施の形態の表示部に表示されるカンファレンス名入力欄の具体例を示す図。
【図９】プレゼンテーション発表用のプレゼンテーション画面を示す図。
【図１０】同実施の形態において履歴更新のカンファレンスタグが設定されたプレゼンテーション画面を示す図。
【図１１】同実施の形態の変形例におけるカンファレンス支援システムの機能ブロック図。
【符号の説明】
１０…カンファレンス支援システム
２０…データ記憶部
２１…画像データ記憶部
２２…レポートデータ記憶部
２３…補助記憶部
２４…カンファレンスデータ記憶部
２５…ネットワークインターフェース
３０…プレゼンテーション画面生成部
３１…制御部
３２…ビューア
３４…表示部
３５…入力部
４１…画像データサーバ
４２…検査データサーバ
４３…病院情報システム
５０…ネットワーク
７０…プレゼンテーション画面
７１…検査実績表
７２…画像表示領域
７３…キー画像登録領域
７４…患者情報表示領域
７５…課題入力領域
７６…学会用データ入力部
７７…研究用データ入力部
７８…スクロールバー
７９…スクロールバー
８１…画像アドレス更新タグ
８２…検査タグ
８３…カンファレンスタグ
【図１】
2005043951.tif 000003
【図２】
2005043951.tif 000004
【図３】
2005043951.tif 000005
【図４】
2005043951.tif 000006
【図５】
2005043951.tif 000007
【図６】
2005043951.tif 000008
【図７】
2005043951.tif 000009
【図８】
2005043951.tif 000010
【図９】
2005043951.tif 000011
【図１０】
2005043951.tif 000012
【図１１】
2005043951.tif 000013